(57)【要約】【課題】テーブルの移動、停止、固定及び天板の前後進位置決めが簡便で、かつ、不用意な衝撃を受けても天板上の食器などを脱落させることのない要介護者用テーブルを提供すること。【解決手段】基台枠体１は下部に平面逆凹状の座盤４が設けられ、座盤４の左右の各側座盤２の側縁には、裏面に一対のキャスター１１を垂下した翼盤１０がそれぞれ倒伏起立自在に位置決め接合され、基台枠体１に上下調節自在に接合される移動枠体１４は、その後端が前記座盤４の後端より所要に引っ込んだ位置に位置取りされ、移動枠体１４に前後摺動自在に案内される天板２４は、移動枠体１４の後端近傍にその後退端を位置取りされ、弾発係止ピン２０の突出、引き下げが指操作でなされるストッパー２３により、移動枠体１４にその前後進位置が位置決めされる。また、天板２４の表面には平面逆Ｕ状の脱落防止突条３２が立設される。【選択図】  図１
2004222753.tif 000002
【特許請求の範囲】
【請求項１】
基台枠体に対して上下調節自在に接合される移動枠体の上部に、摺動手段を介して天板が前後摺動自在に設けられ、該基台枠体の下面にキャスターが取り着けられて成るテーブルにおいて、
基台枠体は、平面逆凹状の座盤の裏面に移動阻止体が取り着けられ、該座盤の後端を前記移動枠体の後端より所要に突出させるとともに、座盤の左右側縁に翼盤が倒伏自在に取り着けられて成り、
キャスターは、前記翼盤の裏面にそれぞれ垂設されて成り、
移動枠体と天板との関係は、移動枠体の前面側方寄りに固定された弾発係止ピンが、天板の裏面で摺動手段に平行に配設された係止金具に係合して天板が移動枠体に前後進の位置決めがされて成り、
天板が、その表面の左右側縁と後縁に逆Ｕ状の脱落防止突条を立設して成る要介護者用テーブル。
【発明の詳細な説明】
【０００１】
【発明が属する技術分野】
本発明は、主として車椅子を使用する要介護者用のテーブルの技術分野に属する。
【０００２】
【従来の技術】
この技術分野での先行発明の一例に特開２００２−２４８０１９がある。これら先行例でのキャスターは、テーブルを容易に移動させるためにあるが逆に動き易い。そこで従来からキャスターに直接停止と解除の装置を設けているが、停止解除に個々のキャスターを操作する必要があって作業性が悪かった。また、テーブル使用時での天板の前後進位置決めは、車椅子を使用する要介護者にとってはテーブル及び車椅子が固定状態であるから簡便なものでなければならないが適切なものが少なかった。さらに、身体の不自由による不用意な動作のための食器などの脱落の防止手段が従来の介護用のテーブルには適切でなかった。
【０００３】
【発明が解決しようとする課題】
本発明は、テーブルの移動、停止（固定）及び天板の前後進位置決めが簡便で、かつ、不用意な衝撃を受けても天板上の食器などを脱落させない要介護者用テーブルを提供しようとする。
【０００４】
【課題を解決するための手段】
本発明の要介護者用テーブルは、基台枠体に対して上下に高さ調節自在に接合される移動枠体の上部に、摺動手段を介して天板が前後摺動自在に設けられ、該基台枠体の下面にキャスターが取り着けられて成るテーブルにおいて、
基台枠体は、平面逆凹状の座盤の裏面に移動阻止体が取り着けられ、該座盤の後端を前記移動枠体の後端より所要に突出させるとともに、座盤の左右側縁で倒伏起立自在な翼盤が取り着けられて成り、
キャスターは、前記翼盤の裏面にそれぞれ一対垂設されて成り、
移動枠体と天板の関係は、移動枠体の前面側方寄りに固定される弾発係止ピンが、天板の裏面で摺動手段に平行に配設された係止金具に係合し、天板が移動枠体の後端近傍にその後退端を位置取りして該移動枠体に前後進位置決めされて成り、
天板が、その表面の左右側縁と後縁に逆Ｕ状の脱落防止突条を立設して成る。
【０００５】
【発明の実施の形態】
基台枠体の座盤の開口幅は、車椅子の前方に配置されるキャスターを通過できる幅が選択され、また、座盤の側縁に翼盤を位置決めするには、基台枠体上で鉛直軸を中心として水平面で回動する保持体の下面で翼盤を水平状態に保持するものや、同基台枠体上で水平軸を中心として鉛直面で回動する保持体の下端で翼盤を倒伏状態まで押圧して水平状態に保持するものがある。さらに、天板の上面に立設される脱落防止突条は、その立設高さが一様の高さのものから、手前から後方にかけて上り勾配の高さで形成されるものがある。なお、本発明はテーブル全体が木製による木の温もりを実感させることを主眼とするが、合成樹脂や金属等で置換することもでき、汚れ易い天板はその表面に樹脂加工を施すこともできる。
【０００６】
【実施例】
本発明の要介護者用テーブル（以下、本テーブルという。）ａを実施例により説明すると、図１、図２に示すように基台枠体１は下記から成っている。平面上側座盤２と横座盤３とからなるコ字状の座盤４と、座盤４の裏面４個所に貼り着けた滑り止め用移動阻止体５と、座盤４の各側座盤２の前後に立設されてビス穴６を上下方向に設けた支柱７と、側方の支柱７間を上下及び中間部で接合する横枠８と、後方の支柱７間を接合する横枠８と、側座盤２の外側縁（切欠き凹部）に蝶番９で起倒自在に接合される翼盤１０と、各翼盤１０の裏面のキャスター１１と、側座盤２に翼盤１０を倒伏状に係止するために鉛直軸１２に水平面で回動自在に軸支されて他端が翼盤１０の端縁に及ぶ長さの保持体１３とから成っている。
図１、図２の右側を前部、左側を後部とし、上記基台枠体１の内部で基台枠体１に上下調節自在に設けられる移動枠体１４は、図３乃至図５に示すように、左右の支柱７のビス１５が合うネジ孔を設けた前後一対の前枠１６と後枠１７と、これらの枠間の左右端部で接合される一対の側枠１８と、前方の前枠１６に隣接して側枠１８間に接合される補強板１９と、前枠１６の前面右寄りに設けられていて弾発係止ピン２０がレバー２１の操作で弾発力によって上方に突出し、ツマミ２２を引き下げれば弾発係止ピン２０が自動的に引き下げ端で位置決めされるストッパー２３とから成る。
【０００７】
次に、移動枠体１４と横長矩形で前部に窪み湾曲部を形成した天板２４との関係は、概略には天板が案内レール２５を介して移動枠体上を前後摺動自在に案内されるもので、詳細はスライダー（図外）を摺動自在に内蔵した下部レール２５が左右の側枠１８上に設けられ、下部レール２５に前記スライダーを介して上方への抜け止めされて外嵌した上部レール２６が天板２４の裏面に設けられている。天板２４の裏面には右方側の上部レール２６と平行に、ストッパー２３の弾発係止ピン２０を係止する係止孔２７を所要ピッチで開口した係止金具２８を、弾発係止ピン２０の軸心に係止孔２７の軸心を合致させて接合している。天板２４の表面には、図２に示すように前部を除いて左右側縁２９から後縁３０にかけて図６に示すように幅３ｍｍ深さ７ｍｍの堀った凹溝３１に脱落防止突条３２が突出高さ３ｍｍで嵌着され、左右側縁２９に沿う位置ではその高さが手前端を１ｍｍとして後方に向けて上り勾配面３３を形成して本テーブルａは成っている。
【０００８】
本テーブルａは移動時には図２に示すように、キャスター１１を裏面に設けた翼盤１０を水平に倒し側座盤２に軸支された保持体１３の他端で翼盤１０の上面を押えてキャスターで移動する。車椅子の者は椅子の前部を本テーブルに入れて一体となって移動できる。
テーブル使用時は、先ず、左右いずれか一方から保持体１３を回動して翼盤１０の拘束を解除すると、翼盤１０は蝶番９を介して本テーブルａの自重により上方へ押し上げられ、側座盤２の端縁が床に接する。次いで他方を若干持ち上げて保持体１３による翼盤１０の拘束を解除すると同様に床に接する。
この状態で左右保持体１３の長手方向を左右側方と平行にし、図３に示すように各翼盤１０を持ち上げ内方へ傾けると、保持体１３に埋設した磁石３４に翼盤１０に設けた吸磁体３５が吸着保持され、本テーブルａは移動阻止体５の摩擦力によって容易に移動しない状態となる。
移動しない本テーブルａを車椅子の要介護者が使用するに当って、座盤４の開口部３６が車椅子の前方を支持するキャスターの取付け幅より広く開口してあるから車椅子の挿入に支障なく、天板２４の高さも基台枠体１に対して移動枠体１４を介して上下調節自在であるから要介護者の座高に対応し、天板２４の前後の出し入れはストッパー２３の操作が簡便であるから容易であり、不用意な衝撃力が天板２４に加えられたときでも食器などが脱落防止突条３２によって脱落が防止される。
なお、実施例の保持体１３は角棒状であるが、曲げ強度を増強したものも採用できる。脱落防止突条３２も実施例に示した寸法に限定されず各様に選択される。
【０００９】
【発明の効果】
本発明の要介護者用テーブルは、移動時から使用時への変換が、保持体の操作で一挙にキャスターの働きを不能にできるため、介護者の負担が軽減される。テーブル使用時の天板の出し入れも、ストッパーのツマミを引いたりレバーを押したりの単純操作に対応するため簡便で、指先の運動機能のリハビリテーションにも役立つ。さらに、要介護者は身体の運動機能が低下しているから、天板に肘を打ちつけたり、支柱に膝を打ち当てたりと不用意な衝撃が天板に加えられるときには、脱落防止突条が食器や食物などの天板上からの脱落を防止できる。
脱落防止突条は上記のほか、視力の弱い者にはうっすらと立体的に目視されるから、テーブルの端縁を視認させる（上り勾配面は特に輪郭視認効果大である。）働きがある。
さらに、キャスターの使用状態で天板に掴り立って歩行訓練する時では、天板の後縁が座盤の横座盤の突端（後端）より引っ込んでいるから、天板によって室内の装置品や窓ガラスなどを損傷させることがない。
【図面の簡単な説明】
【図１】本発明に係わる要介護者用テーブルａの左側面図。
【図２】図１の平面図。
【図３】図１の左側の正面図。
【図４】図３の底面図。
【図５】図２のＡ−Ａ矢視断面図。
【図６】天板２４における脱落防止突条３２の嵌着状態の説明用断面図。
【符号の説明】
１  基台枠体
２  側座盤
３  横座盤
４  座盤
５  移動阻止体
６  ビス穴
７  支柱
８  横枠
９  蝶番
１０  翼盤
１１  キャスター
１２  鉛直軸
１３  保持体
１４  移動枠体
１５  ビス
１６  前枠
１７  後枠
１８  側枠
１９  補強板
２０  弾発係止ピン
２１  レバー
２２  ツマミ
２３  ストッパー
２４  天板
２５  下部レール
２６  上部レール
２７  係止孔
２８  係止金具
２９  側縁
３０  後縁
３１  凹溝
３２  脱落防止突条
３３  上り勾配面
３４  磁石
３５  吸磁体
３６  開口部
ａ  要介護者用テーブル
【図１】
2004222753.tif 000003
【図２】
2004222753.tif 000004
【図３】
2004222753.tif 000005
【図４】
2004222753.tif 000006
【図５】
2004222753.tif 000007
【図６】
2004222753.tif 000008